(57)【特許請求の範囲】
【請求項１】
太陽光を受けて直流電力を発生する太陽電池パネルと、太陽電池パネルの直流電力を貯蔵するバッテリと、バッテリの出力を交流電力に変換するインバータと、移動のための台車とを備え、前記バッテリとインバータとは太陽電池パネルに、太陽電池パネルは前記台車にそれぞれ着脱自在に取り付け、台車は少なくとも片端に車輪を、他端には太陽電池パネルの仰角を調整できる仰角調整手段を兼ねた取っ手をそれぞれ有する電源装置。
【発明の詳細な説明】
【０００１】
【発明の属する技術分野】
本発明は、特に可搬型とした電源装置に関するものである。
【０００２】
【従来の技術】
従来使用されている可搬型の太陽光発電装置一例を、図５を使用して説明する。太陽電池パネル１は、複数個直列に接続した太陽電池セルによって構成しており、太陽光などの光を受けると直流電力を発生する。この直流電力は、図示していない充放電制御手段を介してバッテリ２に蓄電される。バッテリ２に蓄電された直流電力は、図示していない充放電制御手段を介してインバ−タ３に供給されている。インバータ３は、この直流電力を例えば商用周波数の交流電力に変換して、図示していない電気機器等の負荷に供給する。
【０００３】
こうして、太陽の日射変動があってもバッテリを使用することによって、インバータ３は電気機器に対して安定した電源を供給できるものである。
【０００４】
【発明が解決しようとする課題】
前記従来の構成の太陽光発電装置は、太陽電池パネルが、バッテリやインバータと別々のものとなっている。このため、運搬が面倒であるという課題を有している。
【０００５】
【課題を解決するための手段】
本発明は、太陽光を受けて直流電力を発生する太陽電池パネルと、太陽電池パネルの直流電力を貯蔵するバッテリと、バッテリの出力を交流電力に変換するインバータと、移動のための台車とを備え、前記バッテリとインバータとは太陽電池パネルに、太陽電池パネルは前記台車にそれぞれ着脱自在に取り付け、台車は少なくとも片端に車輪を、他端には太陽電池パネルの仰角を調整できる仰角調整手段を兼ねた取っ手をそれぞれ有する構成としている。
【０００６】
このため、運搬が非常に容易にでき、使い勝手の良い電源装置を実現する。
【０００７】
【発明の実施の形態】
請求項１に記載した発明は、太陽光を受けて直流電力を発生する太陽電池パネルと、太陽電池パネルの直流電力を貯蔵するバッテリと、バッテリの出力を交流電力に変換するインバータと、移動のための台車とを備え、前記バッテリとインバータとは太陽電池パネルに、太陽電池パネルは前記台車にそれぞれ着脱自在に取り付け、台車は少なくとも片端に車輪を、他端には太陽電池パネルの仰角を調整できる仰角調整手段を兼ねた取っ手をそれぞれ有する構成としている。
【０００８】
このため、運搬が非常に容易にでき、使い勝手の良い電源装置を実現する。
【０００９】
また、太陽電池パネルは台車から着脱自在であるため、台車で移動が容易にできるとともに、移動先で電源装置の各部を容易に取り外すことができ使い勝手の良いものである。
【００１０】
また、バッテリとインバータとは、太陽電池パネルから着脱自在となっているため、移動のための準備が容易にでき、使い勝手の良いものである。
【００１１】
また、台車は少なくとも片端に車輪を備え、他端に取っ手を有する構成であるため、移動が容易にできるものである。
【００１２】
また、取っ手は、太陽電池パネルの仰角を調整できる仰角調整手段を兼ねた構成であるため、発電効率の高い電源装置を実現する。
【００１３】
【実施例】
以下、本発明の実施例について説明する。図１は本実施例の電源装置の構成を示す内部透過斜視図である。本実施例の電源装置は、太陽光を受けて直流電力を発生する太陽電池パネル１と、太陽電池パネル１の直流電力を貯蔵するバッテリ２と、バッテリ２の出力を交流電力に変換するインバータ３と、移動のための台車１０１とを備えている。なお、台車１０１の前後には車輪１０２を設けている。
【００１４】
このとき本実施例では、バッテリ２とインバータ３とは太陽電池パネル１を構成するフレームに取り付けているものである。また、太陽電池パネル１は台車１０１にラッチ５とラッチ解除手段６によって着脱自在に取り付けている。また、太陽電池パネル１とバッテリ２とインバータ３とは、図２に示しているように、充放電制御手段４を介して接続した構成となっている。図２は本実施例の電気接続を示すブロック図である。
【００１５】
以下、本実施例の動作について説明する。太陽電池パネル１が太陽光を受けて発電した直流電力は、充放電制御手段４を介してバッテリ２に蓄電される。バッテリ２に蓄電された直流電力は充放電制御手段４を介してインバ−タ３に入力される。前記充放電制御手段は、本実施例では電圧を検知する電圧検知手段と、前記電圧検知手段の出力信号によってバッテリ２への充電の可否を制御すると共に、インバータ３に対する負荷の接続の有無を検知する負荷検知手段と、負荷検知手段が負荷の存在を検知したときにインバータを動作させるマイコンによって構成している。従ってインバータ３は、バッテリ２が蓄電した直流電力を商用周波数の正弦波の電力に変換するものである。
【００１６】
すなわち、インバータ３に接続される負荷は、商用交流電源のない環境であっても動作することが可能となる。
【００１７】
このとき本実施例では、バッテリ２とインバータ３とは太陽電池パネル１を構成するフレームに取り付けているものである。また、太陽電池パネル１は台車１０１にラッチ５とラッチ解除手段６によって着脱自在に取り付けている。
【００１８】
このため、本実施例の電源装置は、台車１０１を使用することによってどこへでも自由に移動できるものである。換言すれば、太陽光を十分使用できる場所を選んで移動できるものである。
【００１９】
また本実施例によれば、バッテリ２とインバータ３とは、太陽電池パネル１から着脱自在となっている構成としている。このため、移動のための準備が容易にでき、使い勝手の良い電源装置を実現するものである。
【００２０】
次に、本発明の第２の実施例について説明する。図３は本実施例の構成を示す斜視図である。本実施例では、台車１０１は、片端に車輪１０２を備え、他端に取っ手１０３を有している。本実施例では、前記車輪１０２は２個使用しているが、使用個数等について特に制限は必要ないものである。
【００２１】
以上の構成で、運搬に際して使用者は、取っ手１０３を使用することによって、装置全体を前方にあるいは後方に自由に移動できる。
【００２２】
以上のように本実施例によれば、台車１０１は片端に車輪１０２を備え、他端に取っ手１０３を有する構成としているため、台車での移動が容易にできる電源装置を実現するものである。
【００２３】
次に、本発明の第３の実施例について説明する。図４は本実施例の構成を示す内部透過斜視図である。本実施例では、取っ手１０３は、太陽電池パネル１の仰角を調整できる仰角調整手段を兼ねている。すなわち、取っ手１０３は図示していないちょうつがいを介して台車１０１に固定されている。このため、取っ手１０３は台車１０１に対して回転し任意の角度となる。さらに取っ手１０３は、図示しないラッチを有しており任意の角度で固定することが出来る。
【００２４】
以上の構成としているため、太陽電池パネル１の仰角の調整が容易で、太陽光の入射量を最大にできることから、発電効率の高い電源装置を実現するものである。
【００２５】
【発明の効果】
請求項１に記載した発明は、太陽光を受けて直流電力を発生する太陽電池パネルと、太陽電池パネルの直流電力を貯蔵するバッテリと、バッテリの出力を交流電力に変換するインバータと、移動のための台車とを備え、前記バッテリとインバータとは太陽電池パネルに、太陽電池パネルは前記台車にそれぞれ着脱自在に取り付け、台車は少なくとも片端に車輪を、他端には太陽電池パネルの仰角を調整できる仰角調整手段を兼ねた取っ手をそれぞれ有する構成として、運搬が非常に容易にでき、使い勝手の良い電源装置を実現する。
【００２６】
また、太陽電池パネルは台車から着脱自在であるため、台車で移動が容易にできるとともに、移動先で電源装置の各部を容易に取り外すことができ使い勝手の良いものである。
【００２７】
また、バッテリとインバータとは、太陽電池パネルから着脱自在となっているため、移動のための準備が容易にでき、使い勝手の良いものである。
【００２８】
また、台車は少なくとも片端に車輪を備え、他端に取っ手を有する構成であるため、移動が容易にできるものである。
【００２９】
また、取っ手は、太陽電池パネルの仰角を調整できる仰角調整手段を兼ねた構成であるため、発電効率の高い電源装置を実現する。
【図面の簡単な説明】
【図１】  本発明の第１の実施例である電源装置の構成を示す内部透過斜視図
【図２】  同、電気接続を示すブロック図
【図３】  本発明の第２の実施例である電源装置の構成を示す内部透過斜視図
【図４】  同、取っ手の使用状態を説明する説明図
【図５】  従来の太陽光発電装置の透視斜視図
【符号の説明】
１  太陽電池パネル
２  バッテリ
３  インバータ
５  ラッチ
６  ラッチ解除手段
１０１  台車
１０２  車輪
１０３  取っ手
【図１】
0003928396.tif 000002
【図２】
0003928396.tif 000003
【図３】
0003928396.tif 000004
【図４】
0003928396.tif 000005
【図５】
0003928396.tif 000006